【手続補正書】
【提出日】平成17年2月4日(2005.2.4)
【手続補正１】
【補正対象書類名】明細書
【補正対象項目名】発明の名称
【補正方法】変更
【補正の内容】
【発明の名称】情報記録装置、情報再生装置、情報記録方法及び情報再生方法
【手続補正２】
【補正対象書類名】明細書
【補正対象項目名】特許請求の範囲
【補正方法】変更
【補正の内容】
【特許請求の範囲】
【請求項１】
予約された記録開始時刻及び記録終了時刻に基づいて情報信号の記録媒体への記録動作を開始し終了する予約情報記録動作をなす情報記録装置であって、
前記記録終了時刻の変更指令を発する変更指令手段と、
前記記録開始時刻の経過後において前記変更指令に応じ前記記録終了時刻を第２記録終了時刻に変更し、前記記録終了時刻の経過後における情報信号を記録媒体に記録する制御を行う記録制御手段と、を有することを特徴とする情報記録装置。
【請求項２】
前記記録制御手段は、前記変更指令により指定された変更量だけ前記記録終了時刻を第２記録終了時刻に変更し、前記記録終了時刻の経過後における当該変更量に相当する情報信号を記録媒体に記録する制御を行うことを特徴とする請求項１記載の情報記録装置。
【請求項３】
前記記録制御手段は、前記変更指令に応じて前記記録終了時刻の経過後における情報信号の記録媒体における記録位置を制御することを特徴とする請求項１または２記載の情報記録装置。
【請求項４】
前記記録制御手段は、さらに、記録媒体における記録可能領域の有無に応じて前記記録終了時刻の経過後における情報信号の記録媒体における記録位置を制御することを特徴とする請求項３記載の情報記録装置。
【請求項５】
前記記録制御手段は、前記記録動作において為された記録媒体における記録順序を示す管理情報を前記記録媒体に記録することを特徴とする請求項１乃至４のいずれか一項に記載の情報記録装置。
【請求項６】
前記記録制御手段は、前記記録動作の開始時の記録開始位置に対応する前記記録媒体のアドレスを記録し、前記記録終了時刻の経過後における情報信号を当該アドレスの記録位置より前記記録媒体に記録する制御を行うことを特徴とする請求項１に記載の情報記録装置。
【請求項７】
前記記録制御手段は、前記記録動作の開始時の記録開始位置に対応する前記記録媒体のアドレスを記録し、前記記録開始時刻より前記変更量の経過後における情報信号を当該アドレスの記録位置より前記記録媒体に記録する制御を行うことを特徴とする請求項２に記載の情報記録装置。
【請求項８】
前記記録制御手段は、前記記録開始時刻より前記変更量の経過時の記録位置に対応する前記記録媒体のアドレスを記録することを特徴とする請求項２に記載の情報記録装置。
【請求項９】
前記記録制御手段は、前記記録動作の開始時の記録開始位置に対応する前記記録媒体のアドレスを記録し、前記記録可能領域が無いと判別した後における情報信号を当該アドレスの記録位置より前記記録媒体に記録する制御を行うことを特徴とする請求項４に記載の情報記録装置。
【請求項１０】
設定された記録開始時刻及び記録終了時刻に基づいて情報信号の記録媒体への記録動作における記録順序を示す管理情報が記録された記録媒体に記録されている前記情報信号を再生する情報再生装置であって、
前記記録媒体より前記管理情報を抽出する手段と、
前記管理情報が示す記録順序に従って前記記録媒体に記録されている前記情報信号を読み取る再生制御手段と、を有することを特徴とする情報再生装置。
【請求項１１】
予約された記録開始時刻及び記録終了時刻に基づいて情報信号の記録媒体への記録動作を開始し終了する予約情報記録動作をなす情報記録方法であって、
前記記録終了時刻の変更指令を発する変更指令工程と、
前記記録開始時刻の経過後において前記変更指令に応じ前記記録終了時刻を第２記録終了時刻に変更する記録終了時刻変更工程と、
前記記録終了時刻の経過後における情報信号を記録媒体に記録する制御を行う記録制御工程と、を有することを特徴とする情報記録方法。
【請求項１２】
設定された記録開始時刻及び記録終了時刻に基づいて情報信号の記録媒体への記録動作における記録順序を示す管理情報が記録された記録媒体に記録されている前記情報信号を再生する情報再生方法であって、
前記記録媒体より前記管理情報を抽出する工程と、
前記管理情報が示す記録順序に従って前記記録媒体に記録されている前記情報信号を読み取る再生制御工程と、を有することを特徴とする情報再生方法。
【手続補正３】
【補正対象書類名】明細書
【補正対象項目名】０００１
【補正方法】変更
【補正の内容】
【０００１】
【発明の属する技術分野】
本発明は、情報記録再生システムに関し、特に、予約した情報を自動的に記録する機能を有する情報記録装置、情報記録方法、その記録された情報を再生する情報再生装置及び情報再生方法に関する。
【手続補正４】
【補正対象書類名】明細書
【補正対象項目名】０００６
【補正方法】変更
【補正の内容】
【０００６】
【発明が解決しようとする課題】
かかる不具合は、ビデオカセットテープを記録媒体とするこのようなビデオデッキに限らず、ディスク状記録媒体を扱って同様の予約記録をなす装置を含めた予約機能付きの記録再生システムにおいて生じるものである。そこで本発明は、こうした点に鑑みてなされたものであり、その目的とするところは、予約時間情報に基づく記録動作が実行されている最中においてその予約時間情報に対して現実の目的の情報の提供が遅れた場合にも対処することができ、しかも目的の情報のみを無駄なく記録媒体に記録、再生することのできる情報記録装置、情報記録方法、情報再生装置及び情報再生方法を提供することにある。
【手続補正５】
【補正対象書類名】明細書
【補正対象項目名】０００７
【補正方法】変更
【補正の内容】
【０００７】
【課題を解決するための手段】
上記目的を達成するために、本発明による情報記録装置は、予約された記録開始時刻及び記録終了時刻に基づいて情報信号の記録媒体への記録動作を開始し終了する予約情報記録動作をなす情報記録装置であって、前記記録終了時刻の変更指令を発する変更指令手段と、前記記録開始時刻の経過後において前記変更指令に応じ前記記録終了時刻を第２記録終了時刻に変更し、前記記録終了時刻の経過後における情報信号を記録媒体に記録する制御を行う記録制御手段と、を有することを特徴としている。
【手続補正６】
【補正対象書類名】明細書
【補正対象項目名】０００８
【補正方法】変更
【補正の内容】
【０００８】
上記態様の情報記録装置において、前記記録制御手段は、前記変更指令により指定された変更量だけ前記記録終了時刻を第２記録終了時刻に変更し、前記記録終了時刻の経過後における当該変更量に相当する情報信号を記録媒体に記録する制御を行うようにすることができる。また、前記記録制御手段は、前記変更指令に応じて前記記録終了時刻の経過後における情報信号の記録媒体における記録位置を制御するようにすることができる。
【手続補正７】
【補正対象書類名】明細書
【補正対象項目名】０００９
【補正方法】変更
【補正の内容】
【０００９】
ここで前記記録制御手段は、さらに、記録媒体における記録可能領域の有無に応じて前記記録終了時刻の経過後における情報信号の記録媒体における記録位置を制御するようにすることができる。さらに、前記記録制御手段は、前記記録動作において為された記録媒体における記録順序を示す管理情報を前記記録媒体に記録するものとしても良い。
【手続補正８】
【補正対象書類名】明細書
【補正対象項目名】００１０
【補正方法】変更
【補正の内容】
【００１０】
本発明による情報再生装置は、設定された記録開始時刻及び記録終了時刻に基づいて情報信号の記録媒体への記録動作における記録順序を示す管理情報が記録された記録媒体に記録されている前記情報信号を再生する情報再生装置であって、前記記録媒体より前記管理情報を抽出する手段と、前記管理情報が示す記録順序に従って前記記録媒体に記録されている前記情報信号を読み取る再生制御手段と、を有することを特徴としている。
また、本発明による情報記録方法は、予約された記録開始時刻及び記録終了時刻に基づいて情報信号の記録媒体への記録動作を開始し終了する予約情報記録動作をなす情報記録方法であって、前記記録終了時刻の変更指令を発する変更指令工程と、前記記録開始時刻の経過後において前記変更指令に応じ前記記録終了時刻を第２記録終了時刻に変更する記録終了時刻変更工程と、前記記録終了時刻の経過後における情報信号を記録媒体に記録する制御を行う記録制御工程と、を有することを特徴としている。
また、本発明による情報再生方法は、設定された記録開始時刻及び記録終了時刻に基づいて情報信号の記録媒体への記録動作における記録順序を示す管理情報が記録された記録媒体に記録されている前記情報信号を再生する情報再生方法であって、前記記録媒体より前記管理情報を抽出する工程と、前記管理情報が示す記録順序に従って前記記録媒体に記録されている前記情報信号を読み取る再生制御工程と、を有することを特徴としている。
【手続補正９】
【補正対象書類名】明細書
【補正対象項目名】００５８
【補正方法】変更
【補正の内容】
【００５８】
【発明の効果】
以上詳述したように、本発明によれば、予約時間情報に基づく記録動作が実行されている最中において、その予約時間情報に対して現実の目的の情報の提供が遅れた場合にも対処することができ、しかも目的の情報のみを無駄なく記録媒体に記録することのできる情報記録装置、情報再生装置、情報記録方法及び情報再生方法が提供される。